(57)【要約】      （修正有）【課題】広告用記録媒体に対する興味を高め、従来よりも高い広告効果を得ることができる広告配信システムを提供する。【解決手段】広告配信システム１０は、各々にＩＤ情報が対応付けされた複数の楽曲１６Ａ〜１６Ｃ、及び音声による広告１８Ａ、１８Ｂが記録された広告用記録媒体１２と、この広告用記録媒体１２の利用者から、楽曲１６Ａ〜１６ＣのＩＤ情報をインターネット２０を介して受信可能な情報受信手段２２、この情報受信手段２２によって受信したＩＤ情報の受信数に基づいて楽曲を利用者からのリクエストが多い順に並び替えて楽曲ランキングを生成する楽曲ランキング生成手段２４、及び、この楽曲ランキング生成手段２４によって生成された楽曲ランキングの結果をインターネット２０を介して送信可能な情報送信手段２６を少なくとも備えたＷＥＢサーバ１４と、を有して構成される。【選択図】図１
2007033869.tif 000002
【特許請求の範囲】
【請求項１】
各々にＩＤ情報が対応付けされた複数の楽曲、及び映像や音声による少なくとも１種類の広告が記録された広告用記録媒体と、
該広告用記録媒体の利用者から、前記楽曲のＩＤ情報をインターネットを介して受信可能な情報受信手段、該情報受信手段によって受信した前記ＩＤ情報の受信数に基づいて前記楽曲を前記利用者からのリクエストが多い順に並び替えて楽曲ランキングを生成する楽曲ランキング生成手段、及び、該楽曲ランキング生成手段によって生成された前記楽曲ランキングの結果を前記インターネットを介して送信可能な情報送信手段を少なくとも備えたＷＥＢサーバと、を有して構成され、
前記広告用記録媒体における前記複数の楽曲の少なくとも一部は、前記ＷＥＢサーバにおける前記楽曲ランキング生成手段によって生成された前記楽曲ランキングの順番で記録されることを特徴とする広告配信システム。
【請求項２】
請求項１において、
前記楽曲と前記広告が、前記広告用記録媒体上に交互に記録されていることを特徴とする広告配信システム。
【請求項３】
請求項１又は２において、
前記広告用記録媒体は、コンパクトディスクからなり、
前記複数の楽曲及び前記少なくとも１種類の広告は、前記コンパクトディスクにおける同一トラック内に記録されていることを特徴とする広告配信システム。
【請求項４】
請求項１乃至３のいずれかにおいて、
前記ＷＥＢサーバにおける前記情報受信手段は、更に、前記利用者から前記楽曲に関するコメントを受信可能に構成され、
前記広告用記録媒体には、前記広告に加え、前記コメントが記録されることを特徴とする広告配信システム。
【請求項５】
請求項１乃至４のいずれかにおいて、
前記ＷＥＢサーバにおける前記情報送信手段は、前記楽曲ランキングの結果と共に、映像や音声による広告を送信可能に構成されていることを特徴とする広告配信システム。
【請求項６】
請求項１乃至５のいずれかにおいて、
前記広告用記録媒体を付録物とし、前記広告と同一広告主のチラシ広告やパンフレットなどが印刷された広告用印刷物を更に備えることを特徴とする広告配信システム。
【発明の詳細な説明】
【技術分野】
【０００１】
本発明は、ＣＤ−ＲＯＭ等に代表される記録媒体を用いた広告配信システムに関する。
【背景技術】
【０００２】
近年、ＣＤ−ＲＯＭ等に代表される記録媒体の価格低下に伴い、紙のチラシ広告やパンフレット等の広告用印刷物の代わりに広告用記録媒体を用いた広告が種々提案されている。
【０００３】
例えば、特許文献１には、広告用印刷物では表現できない情報を広告として伝達すべく、記録媒体の空きスペースに広告を挿入した広告用記録媒体が開示されている。
【０００４】
又、特許文献２には、顧客に効果的に広告主の広告を閲覧させるべく、顧客本人に関わる事柄を記録したデジタル音声やデジタル画像を記録した広告用記録媒体が開示されている。
【特許文献１】特開２００４−２５２３９４号公報
【特許文献２】特開２００３−２９５８０３号公報
【発明の開示】
【発明が解決しようとする課題】
【０００５】
しかしながら、上記特許文献１記載の広告用記録媒体は、多様な広告が可能であるものの、どのような広告で利用者の興味を引いて広告効果を高めるかについては具体的な開示がなされていない。
【０００６】
一方、上記特許文献２記載の広告用記録媒体は、特定の顧客に対する広告には有効であるものの、汎用性が無く、例えば、高速道路のサービスエリアや駅の構内等において不特定多数の人々に対して広告を行うような場合には不向きである上に、顧客毎に異なる情報を記録する必要があるため、コスト高となり易いといった問題点があった。
【０００７】
本発明は、このような問題点を解決するためになされたものであって、広告用記録媒体に対する興味を高め、従来よりも高い広告効果を得ることができる広告配信システムを提供することを目的とする。
【課題を解決するための手段】
【０００８】
本発明は、各々にＩＤ情報が対応付けされた複数の楽曲、及び映像や音声による少なくとも１種類の広告が記録された広告用記録媒体と、該広告用記録媒体の利用者から、前記楽曲のＩＤ情報をインターネットを介して受信可能な情報受信手段、該情報受信手段によって受信した前記ＩＤ情報の受信数に基づいて前記楽曲を前記利用者からのリクエストが多い順に並び替えて楽曲ランキングを生成する楽曲ランキング生成手段、及び、該楽曲ランキング生成手段によって生成された前記楽曲ランキングの結果を前記インターネットを介して送信可能な情報送信手段を少なくとも備えたＷＥＢサーバと、を有して構成され、前記広告用記録媒体における前記複数の楽曲の少なくとも一部は、前記ＷＥＢサーバにおける前記楽曲ランキング生成手段によって生成された前記楽曲ランキングの順番で記録されることによって、上記課題を解決したものである。
【０００９】
本発明によれば、広告用記録媒体の利用者の要求を広告用記録媒体の記録内容に反映させることができる。そのため、広告用記録媒体に対する興味を高め、従来よりも高い広告効果を得ることができる。
【００１０】
なお、前記楽曲と前記広告が、前記広告用記録媒体上に交互に記録されていれば、楽曲と楽曲の間に広告を挿入することができ、複数の楽曲を連続して再生している利用者に対して効果的に広告を視聴させることができる。
【００１１】
又、前記広告用記録媒体は、コンパクトディスクからなり、前記複数の楽曲及び前記少なくとも１種類の広告は、前記コンパクトディスクにおける同一トラック内に記録されていれば、広告用記録媒体の利用者が広告のみを飛ばして楽曲のみを再生するような行為を未然に防止することができ、広告効果をより一層高めることができる。なお、本発明に係る「トラック」は、コンパクトディスク上に物理的に形成された溝を意味するものではなく、記録の単位である論理トラックを意味する。
【００１２】
更に、前記ＷＥＢサーバにおける前記情報受信手段は、更に、前記利用者から前記楽曲に関するコメントを受信可能に構成され、前記広告用記録媒体には、前記広告に加え、前記コメントが記録されていれば、利用者の広告用記録媒体に対する興味を更に高めることができる。
【００１３】
更に又、前記ＷＥＢサーバにおける前記情報送信手段は、前記楽曲ランキングの結果と共に、映像や音声による広告を送信可能に構成されていれば、広告用記録媒体による広告に加え、インターネットを介した通信による広告を行うことができ、広告効果を一層高めることができる。
【００１４】
又、前記広告用記録媒体は、チラシ広告やパンフレットなどの広告用印刷物の付録として無償で配布されるようにすれば、広告用印刷物に興味を持ち、広告用印刷物を持ち帰った利用者が自宅や車内で広告用記録用媒体を利用することが考えられ、広告用記録媒体による広告、インターネットを介した通信による広告、広告用印刷物による広告の３種類の広告により広告効果を更に高めることができる。
【発明の効果】
【００１５】
本発明に係る広告配信システムは、広告用記録媒体に対する興味を高め、従来よりも高い広告効果を得ることができるという優れた効果を有する。
【発明を実施するための最良の形態】
【００１６】
以下、図面を用いて、本発明の実施例１に係る広告配信システムについて詳細に説明する。
【実施例１】
【００１７】
図１は、本実施例１に係る広告配信システム１０の全体構成図を示したものである。
【００１８】
同図に示されるように、この広告配信システム１０は、広告用記録媒体１２と、ＷＥＢサーバ１４と、を有して構成されている。
【００１９】
広告用記録媒体１２は、本実施例１では、コンパクトディスク（ＣＤ）によって構成されている。又、この広告用記録媒体１２の同一トラック内には、ＩＤ情報が対応付けされた複数（この例では３曲）の楽曲１６Ａ、１６Ｂ、１６Ｃと、音声による少なくとも１種類（この例では２種類）の広告１８Ａ、１８Ｂと、が交互に記録されている。なお、本発明に係る「広告用記録媒体」は、コンパクトディスクに限定されるものではなく、例えば、Ｖｉｄｅｏ−ＣＤやＤＶＤ等を適用してもよい。又、広告用記録媒体１２に記録する広告は音声によるものに限定されず、静止画や動画などの映像による広告であってもよい。
【００２０】
ＷＥＢサーバ１４は、広告用記録媒体１２の利用者から、楽曲１６Ａ〜１６ＣのＩＤ情報（この例ではＩＤ＝００１、００２、００３）及び楽曲１６Ａ〜１６Ｃに関するコメントをインターネット２０を介して受信可能な情報受信手段２２と、この情報受信手段２２によって受信したＩＤ情報の受信数に基づいて複数の楽曲１６Ａ〜１６Ｃを利用者からのリクエストが多い順に並び替えて楽曲ランキングを生成する楽曲ランキング生成手段２４と、この楽曲ランキング生成手段２４によって生成された楽曲ランキングの結果と共に、映像や音声によるバナー広告をインターネット２０を介して送信可能な情報送信手段２６と、を有して構成されている。
【００２１】
次に、本実施例１に係る広告配信システム１０の作用について説明する。
【００２２】
広告用記録媒体１２は、例えば、高速道路のサービスエリアや駅構内などにおいて、チラシ広告やパンフレットなどの広告用印刷物３４の付録として無償で配布される。
【００２３】
この広告用記録媒体１２に接した利用者は、上記図１に示されるように、携帯電話２８やパソコン３０のＷＥＢブラウザ３２を介して、リクエストしたい楽曲のＩＤ情報や、その楽曲に関するコメントをＷＥＢサーバ１４の情報受信手段２２に送信したり、ＷＥＢサーバ１４の情報送信手段２６から送信される楽曲ランキングの結果や、映像や音声によるバナー広告を受信してＷＥＢブラウザ３２で閲覧する。
【００２４】
そして、高速道路のサービスエリアや駅構内などにおいて再配布される次回の広告用記録媒体は、ＷＥＢサーバ１４における楽曲ランキング生成手段２４によって生成された楽曲ランキングの順番で複数の楽曲の少なくとも一部（例えば、ランキング上位７曲の楽曲）と、広告を記録すると共に、利用者から寄せられた楽曲に関するコメントを記録する。
【００２５】
本実施例１に係る広告配信システム１０によれば、各々にＩＤ情報が対応付けされた複数の楽曲（本実施例１では楽曲１６Ａ〜１６Ｃ）、及び映像や音声による少なくとも１種類の広告（本実施例１では広告１８Ａ、１８Ｂ）が記録された広告用記録媒体１２と、この広告用記録媒体１２の利用者から、楽曲１６Ａ〜１６ＣのＩＤ情報をインターネット２０を介して受信可能な情報受信手段２２、この情報受信手段２２によって受信したＩＤ情報の受信数に基づいて楽曲を利用者からのリクエストが多い順に並び替えて楽曲ランキングを生成する楽曲ランキング生成手段２４、及び、この楽曲ランキング生成手段２４によって生成された楽曲ランキングの結果をインターネット２０を介して送信可能な情報送信手段２６を少なくとも備えたＷＥＢサーバ１４と、を有して構成され、広告用記録媒体１２における複数の楽曲の少なくとも一部は、ＷＥＢサーバ１４における楽曲ランキング生成手段２４によって生成された楽曲ランキングの順番で記録されるため、広告用記録媒体の利用者の要求を広告用記録媒体の記録内容に反映させることができる。そのため、広告用記録媒体に対する興味を高め、従来よりも高い広告効果を得ることができる。
又、楽曲と広告が、広告用記録媒体１２上に交互に記録されているため、楽曲と楽曲の間に広告を挿入することができ、複数の楽曲を連続して再生している利用者に対して効果的に広告を視聴させることができる。
【００２６】
又、広告用記録媒体１２は、コンパクトディスクからなり、複数の楽曲及び少なくとも１種類の広告は、コンパクトディスクにおける同一トラック内に記録されているため、広告用記録媒体１２の利用者が広告のみを飛ばして楽曲のみを再生するような行為を未然に防止することができ、広告効果をより一層高めることができる。
【００２７】
更に、ＷＥＢサーバ１４における情報受信手段２２は、更に、利用者から楽曲に関するコメントを受信可能に構成され、広告用記録媒体１２には、広告に加え、コメントが記録されているため、利用者の広告用記録媒体１２に対する興味を更に高めることができる。
【００２８】
更に又、ＷＥＢサーバ１４における情報送信手段２６は、楽曲ランキングの結果と共に、映像や音声による広告を送信可能に構成されているため、広告用記録媒体１２による広告に加え、インターネットを介した通信による広告を行うことができ、広告効果を一層高めることができる。
【００２９】
又、広告用記録媒体１２は、チラシ広告やパンフレットなどの広告用印刷物３４の付録として無償で配布されるようにすれば、広告用印刷物３４に興味を持ち、広告用印刷物３４を持ち帰った利用者が自宅や車内で広告用記録用媒体１２を利用することが考えられ、広告用記録媒体１２による広告、インターネットを介した通信による広告、広告用印刷物３４による広告の３種類の広告により広告効果を更に高めることができる。
【図面の簡単な説明】
【００３０】
【図１】本発明の実施例１に係る広告配信システムの全体構成図
【符号の説明】
【００３１】
１０・・・広告配信システム
１２・・・広告用記録媒体
１４・・・ＷＥＢサーバ
１６Ａ、１６Ｂ、１６Ｃ・・・楽曲
１８Ａ、１８Ｂ・・・広告
２０・・・インターネット
２２・・・情報受信手段
２４・・・楽曲ランキング生成手段
２６・・・情報送信手段
３４・・・広告用印刷物
【図１】
2007033869.tif 000003